(57)【要約】  建築モデルデータを基にして設備の制御データを作成する情報作成方法、記録媒体、情報作成装置、情報作成システムを提供することを目的とする。情報作成装置（１０）で用いられる情報作成方法は、建築物の構成の情報と建築物の設備（たとえば、照明設備４０）の情報とを含む建築モデルデータ（たとえば、ＢＩＭデータ）を受け取るステップと、建築モデルデータに関連付けて、設備の制御データの作成条件を定める入力データを受け取るステップとを有する。
2017017956.tif 000002
【特許請求の範囲】
【請求項１】
建築物の構成の情報と前記建築物の設備の情報とを含む建築モデルデータを受け取るステップと、
前記建築モデルデータに関連付けて、前記設備を制御するための制御データの作成条件を定める入力データを受け取るステップとを有する
ことを特徴とする情報作成方法。
【請求項２】
前記制御データは、
前記設備を構成する複数の機器にそれぞれユニークに設定された識別情報を結び付ける関係情報と、
前記複数の機器それぞれの状態を表す状態情報とを含んでおり、
前記入力データが定める作成条件は、前記関係情報および前記状態情報の内容を作成する条件であって、
前記情報作成方法は、
前記建築モデルデータで構築された仮想空間において、前記複数の機器に前記識別情報を設定するステップと、
前記制御データの作成条件に従って前記関係情報および前記状態情報の内容を作成するステップとを、さらに有する
請求項１記載の情報作成方法。
【請求項３】
前記制御データの作成条件は、
前記建築モデルデータで構築される仮想空間で前記複数の機器に設定された識別情報を結び付ける前記関係情報の内容と、
前記複数の機器それぞれの状態を表す状態情報の内容とを定める
請求項２記載の情報作成方法。
【請求項４】
前記制御データによる前記設備の動作のシミュレーションを、前記建築モデルデータで構築する仮想空間において行わせるステップを、さらに有する請求項１〜３のいずれか１項に記載の情報作成方法。
【請求項５】
実空間における設備を制御する制御装置に対して前記制御データを設定するステップを、さらに有する請求項１〜４のいずれか１項に記載の情報作成方法。
【請求項６】
実空間における設備に対して前記制御データに基づく制御信号を出力するステップを、さらに有する請求項１〜４のいずれか１項に記載の情報作成方法。
【請求項７】
前記制御データの作成条件に対する修正の指示を受け付けるステップと、
前記修正の指示を受けると前記制御データを更新するステップとを、さらに有する請求項１〜６のいずれか１項に記載の情報作成方法。
【請求項８】
前記建築モデルデータと前記制御データとを用いて、前記設備の動作を制御、監視する画面を表示するための制御監視画面データを生成するステップを、さらに有する請求項１〜７のいずれか１項に記載の情報作成方法。
【請求項９】
コンピュータに、
建築物の構成の情報と前記建築物の設備の情報とを含む建築モデルデータを受け取るステップと、前記建築モデルデータに関連付けて、前記設備の制御データの作成条件を定める入力データを受け取るステップとを実行させるためのプログラムを記録した記録媒体。
【請求項１０】
建築物の構成の情報と前記建築物の設備の情報とを含む建築モデルデータを受け取るインターフェイス部と、
前記建築モデルデータに関連付けて、前記設備を制御するための制御データの作成条件を定める入力データを受け取る入力部と、
前記建築モデルデータおよび前記入力データを用いて前記制御データを作成する処理部と、
前記処理部が作成した前記制御データを出力する出力部とを備える
ことを特徴とする情報作成装置。
【請求項１１】
前記制御データは、
前記設備を構成する複数の機器にそれぞれユニークに設定された識別情報を結び付ける関係情報と、
前記複数の機器それぞれの状態を表す状態情報とを含んでおり、
前記入力データが定める作成条件は、前記関係情報および前記状態情報の内容を作成する条件であって、
前記処理部は、前記建築モデルデータで構築された仮想空間において、前記複数の機器に前記識別情報を設定し、かつ前記制御データの作成条件に従って前記関係情報および前記状態情報の内容を作成する
請求項１０記載の情報作成装置。
【請求項１２】
建築物の構成の情報と前記建築物の設備の情報とを含む建築モデルデータを受け取るインターフェイス部と、
前記建築モデルデータに関連付けて、前記設備を制御するための制御データの作成条件を定める入力データを受け取る入力部と、
前記建築モデルデータおよび前記入力データを用いて前記制御データを作成する処理部と、
前記処理部が作成した前記制御データを出力する出力部とを備える
ことを特徴とする情報作成システム。
【請求項１３】
前記制御データは、
前記設備を構成する複数の機器にそれぞれユニークに設定された識別情報を結び付ける関係情報と、
前記複数の機器それぞれの状態を表す状態情報とを含んでおり、
前記入力データが定める作成条件は、前記関係情報および前記状態情報の内容を作成する条件であって、
前記処理部は、前記建築モデルデータで構築された仮想空間において、前記複数の機器に前記識別情報を設定し、かつ前記制御データの作成条件に従って前記関係情報および前記状態情報の内容を作成する
請求項１２記載の情報作成システム。
【請求項１４】
請求項１０又は１１記載の情報作成装置と、
前記制御データによる前記設備の動作のシミュレーションを、コンピュータが構築する仮想空間において行うシミュレータとを備える
ことを特徴とする情報作成システム。
【発明の詳細な説明】
【技術分野】
【０００１】
本発明は、情報作成方法、記録媒体、情報作成装置、情報作成システムに関し、より詳細には建築物に設置された設備に関する制御データを作成するための情報作成方法、記録媒体、情報作成装置、情報作成システムに関する。
【背景技術】
【０００２】
従来、建築物を構成する構造の形態、位置、仕様を含む建築物モデルを、建築物の環境情報を監視し、建築物の機器を制御する環境管理システムに利用する建築物管理システムが提案されている（たとえば、特許文献１参照）。環境管理システムは、建築物モデルに含まれる機器の仕様に関する情報を利用して構築されている。特許文献１では、建築物モデルとして、ＢＩＭ（Building Information Modeling）が採用されている。【０００３】
特許文献１では、環境管理システムが、建築物の機器を制御または監視するときに、建築物モデルに含まれる機器の仕様に関する情報を利用しているにすぎず、機器の制御に必要な制御データの作成時に建築物モデルを使用する技術は記載されていない。
【先行技術文献】
【特許文献】
【０００４】
【特許文献１】特開２０１３−１２５３３０号公報
【発明の概要】
【０００５】
本発明は、建築モデルデータを基にして設備の制御データを作成する情報作成方法、記録媒体、情報作成装置、情報作成システムを提供することを目的とする。
【０００６】
本発明の一態様に係る情報作成方法は、建築物の構成の情報と前記建築物の設備の情報とを含む建築モデルデータを受け取るステップと、前記建築モデルデータに関連付けて、前記設備を制御するための制御データの作成条件を定める入力データを受け取るステップとを有する。
【０００７】
本発明の一態様に係る記録媒体は、コンピュータに、建築物の構成の情報と前記建築物の設備の情報とを含む建築モデルデータを受け取るステップと、前記建築モデルデータに関連付けて、前記設備を制御するための制御データの作成条件を定める入力データを受け取るステップとを実行させるプログラムを記録している。
【０００８】
本発明の一態様に係る情報作成装置は、インターフェイス部と、入力部と、処理部と、出力部とを備える。前記インターフェイス部は、建築物の構成の情報と前記建築物の設備の情報とを含む建築モデルデータを受け取る。前記入力部は、前記建築モデルデータに関連付けて、前記設備を制御するための制御データの作成条件を定める入力データを受け取る。前記処理部は、前記建築モデルデータおよび前記入力データを用いて前記制御データを作成する。前記出力部は、前記処理部が作成した前記制御データを出力する。
【０００９】
本発明の一態様に係る情報作成システムは、インターフェイス部と、入力部と、処理部と、出力部とを備える。前記インターフェイス部は、建築物の構成の情報と前記建築物の設備の情報とを含む建築モデルデータを受け取る。前記入力部は、前記建築モデルデータに関連付けて、前記設備を制御するための制御データの作成条件を定める入力データを受け取る。前記処理部は、前記建築モデルデータおよび前記入力データを用いて前記制御データを作成する。前記出力部は、前記処理部が作成した前記制御データを出力する。
【００１０】
また、本発明の一態様に係る情報作成システムは、上述の情報作成装置と、前記制御データによる前記設備の動作のシミュレーションを、コンピュータが構築する仮想空間において行うシミュレータとを備える。
【００１１】
本発明の構成によれば、建築モデルデータを基にして設備の制御データを作成することが可能になる。
【図面の簡単な説明】
【００１２】
【図１】図１は実施形態を示すブロック図である。
【図２】図２は実施形態におけるデータの作成手順を示す流れ図である。
【図３】図３は実施形態における対象空間の表示例を示す図である。
【図４】図４は実施形態におけるデータ生成の過程を示す概念図である。
【発明を実施するための形態】
【００１３】
以下では、建築モデルデータの一種であるＢＩＭ（Building Information Modeling）のデータ（以下、「ＢＩＭデータ」という）を用いて、建築物に設置された設備を制御するための制御データを作成する技術を説明する。設備の制御データは、コンピュータでプログラムを実行することにより実現される情報作成装置を用いて作成される。したがって、以下では、コンピュータを用いて構成される情報作成装置と、コンピュータを情報作成装置として機能させるためのプログラムとについて説明する。また、ＢＩＭデータを用いて制御データを作成する方法、およびコンピュータでこの方法を実現するためのプログラムについて説明する。
【００１４】
ＢＩＭは、コンピュータを用いて構築した仮想空間に建築物を表現する技術である。ＢＩＭデータは、３次元ＣＡＤ（Computer Aided Design）のような建築物に関する形状および寸法を表すデータだけではなく、建築物を構成する個々の部材のデータ、建築物に配置された設備のデータなど、建築物に関する多くの種類のデータが統合されている。つまり、ＢＩＭデータは、建築物に関係した様々なデータの総体を表している。
【００１５】
以下では、ＢＩＭデータを作成するプログラムを実行するコンピュータを「モデリング装置」と呼ぶ。モデリング装置を構成するコンピュータは、１台に限らず複数台であってもよい。モデリング装置が複数台のコンピュータで構成される場合、種類の異なるデータを別々のコンピュータで作成してもよい。
【００１６】
また、モデリング装置は、サーバと端末装置（クライアント）とで構成されていてもよい。この場合、ＢＩＭデータを作成するためのプログラムはサーバで実行され、ユーザは端末装置を用いてサーバのプログラムを使用し、ＢＩＭデータを作成することが可能である。サーバと端末装置とはインターネットのような電気通信回線を通して通信することが望ましい。サーバは、ＳａａＳ（Software as a Service）の形態で、ユーザによるプログラムの使用を可能にする。サーバは、１台のコンピュータに限らず、複数台のコンピュータで構成されていてもよく、さらにはクラウドコンピューティングシステムの形態であってもよい。
【００１７】
建築物は、オフィスビルあるいは商業ビルなどのような住宅用途ではないビルディングを想定しているが、建築物は、集合住宅または戸建て住宅などの住宅であってもよい。また、建築物が、学校、スーパーマーケット、コンビニエンスストア、スポーツ施設、ホテル、美術館、博物館、病院、倉庫、工場などの施設を構成する建物であってもよい。さらには、建築物が、道路、橋梁などのように、一般的な建物に属さない（すなわち、屋根、柱、および壁がない）場合でも、以下に説明する技術を採用することが可能である。また、建築物は、建物の全体に限らず、集合住宅における住戸、居室などのように建物の一部分であってもよい。
【００１８】
制御データを作成する対象としての設備は、後述する制御装置を用いて動作が制御される設備を意味している。設備には、照明設備、空調設備、ブラインド、シャッタ、防災設備、防犯設備、給水設備、排水設備、エレベータ、エスカレータ、冷蔵・冷凍設備などがある。設備は、映像設備、音響設備などを含んでいてもよい。
【００１９】
また、制御装置は、ビル管理システムに用いる中央監視装置、エネルギー管理システムのコントローラ、遠隔監視制御システムに用いる親機などが該当する。エネルギー管理システムは、ＢＥＭＳ、ＭＥＭＳ、またはＨＥＭＳ（Home Energy Management System）などを意味する。なお、ＢＥＭＳは、日本ではビル用のエネルギー管理システムを表しており、ＭＥＭＳは、日本では集合住宅用のエネルギー管理システムを表している。
【００２０】
遠隔監視制御システムは、主として多くの照明器具を備える照明設備の制御に用いられており、以下に説明する実施形態では、制御装置が遠隔監視制御システムの親機である場合を例とする。
【００２１】
制御装置は、制御データを記憶し、制御データに従って設備の動作を制御するように構成されている。情報作成装置は、建築物に設置されたすべての設備に関する制御データを作成する必要はなく、いずれか１種類の設備について制御データを作成するだけでもよい。また、建築物に複数の制御装置が存在する場合、情報作成装置は、制御装置ごとに制御データを作成してもよい。
【００２２】
以下に説明する実施形態では、建築物について、意匠設計、構造設計、設備設計が終了し、建築物の意匠、建築物の構造、建築物の設備などに関するＢＩＭデータが作成されている状態を仮定する。建築物の構造に関するＢＩＭデータは、建築物を構成する部材について、名称、形状、寸法、配置、仕様、メーカ名、品番などの属性情報を含む。部材の形状は、３次元の形状であり、部材の配置は、建築物において該当する部材を使用する位置の情報である。建築物の設備に関するＢＩＭデータは、さらに、建築物で用いる設備を構成する機器について、名称、種類、配置、仕様、メーカ名、品番などの属性情報を含む。設備の配置は、建築物において設備を構成する機器を設置する場所の情報である。
【００２３】
一般に、設備を構成する機器は、設備を利用する目的である機能を実現する第１の機器と、第１の機器の状態を指示する第２の機器とを備えている。たとえば、照明設備であれば、第１の機器は照明器具であり、第２の機器はスイッチあるいはセンサなどである。また、空調設備では、第１の機器は室内機および室外機であり、第２の機器は、運転と停止を指示するスイッチ、設定温度を定めるコントローラなどである。他の設備も同様であって、第１の機器と第２の機器とを備える。
【００２４】
以下に説明する実施形態では、建築物がオフィスビルであって、設備が照明設備である場合を例とする。照明設備は、オフィスビルに設置された複数個（たとえば、１００個以上）の照明器具と、通信技術を用いることによって照明器具の点灯状態の監視および制御を遠隔で行う遠隔監視制御システムとで構成される。
【００２５】
遠隔監視制御システムは、スイッチ、センサ、照明器具のいずれかと接続する複数台の端末器、端末器を通して１以上の照明器具の状態の制御を行う親機を含む。スイッチあるいはセンサを接続する端末器は、スイッチあるいはセンサから照明器具の点灯状態を変化させる情報を受け付ける。照明器具を接続する端末器は、照明器具の点灯と消灯とを制御する構成と、照明器具の調光と調色との少なくとも一方を制御する構成とがある。センサには、周囲の明るさを監視する明るさセンサ、所定の空間領域に人が存在するか否かを監視する人感センサ、周囲の温度を監視する温度センサなどがある。端末器には、スイッチあるいはセンサから照明器具の点灯状態を変化させる情報を受け付ける第１の端末器と、照明器具に指示を与えて点灯状態を制御する第２の端末器とがある。
【００２６】
なお、端末器と、照明器具、スイッチ、およびセンサのいずれか１以上とは、一体となっていてもよい。
【００２７】
本実施形態では、照明設備は、照明器具、スイッチ、センサ、親機、端末器などの機器で構成される。また、照明設備に付随して、照明器具に給電する配線、親機と端末器とを接続する通信線などが敷設される。
【００２８】
すべての端末器は、通信線を通して親機に接続され、親機と通信する。親機は、第１の端末器が受けた情報を取得し、取得した情報に応じて、第２の端末器に照明器具の点灯状態を制御する指示を与えるように構成されている。
【００２９】
ところで、この遠隔監視制御システムでは、スイッチあるいはセンサが複数あり、照明器具が複数ある場合を想定している。スイッチあるいはセンサと照明器具との関係は親機が記憶する。すなわち、親機は、スイッチあるいはセンサと照明器具との対応関係を管理し、また、スイッチあるいはセンサから取得した情報に対して照明器具に与える指示の内容を管理している。たとえば、照明器具の点灯と消灯とをどのスイッチの操作に対応させるかという関係は親機が記憶している。また、センサがどのような状態を検知したときに照明器具の点灯状態をどうするかという関係も親機が記憶している。
【００３０】
この遠隔監視制御システムでは、複数のスイッチあるいはセンサを区別するために識別情報が設定され、複数の照明器具を区別するために識別情報が設定される。識別情報は、実際には端末器に設定されている。親機は、識別情報によって、スイッチあるいはセンサと照明器具との対応関係を管理する。すなわち、親機では、スイッチあるいはセンサと照明器具とを一対一に対応付けるだけではなく、スイッチあるいはセンサの１つを複数の照明器具と一対多に対応付けることが可能である。この場合、スイッチあるいはセンサの１つで複数の照明器具を一括して制御することが可能である。スイッチあるいはセンサと照明器具とを一対一に対応付ける個別制御に対して、スイッチあるいはセンサを複数の照明器具と一対多に対応付ける制御を一括制御と呼ぶ。たとえば、親機において、１つのスイッチの識別情報に、複数の照明器具の識別情報を結び付ける制御データを設定しておけば、１つのスイッチで複数の照明器具の点灯状態を一括して変化させることが可能である。一括制御には、グループ制御とパターン制御(シーン制御)とがある。
【００３１】
グループ制御は、親機において、たとえば、１つのスイッチの識別情報を、複数の照明器具の識別情報に結び付けるように制御データが設定されることで実現される。つまり、グループ制御では、１つのスイッチが操作されると、制御データに設定された複数の照明器具が一括して同じ点灯状態となるように制御される。したがって、グループ制御では、１つのスイッチの操作で、複数の照明器具を一括して点灯させ、また１つのスイッチの操作で、複数の照明器具を一括して消灯させることが可能である。
【００３２】
パターン制御は、親機において、たとえば、１つのスイッチの識別情報を、複数の照明器具の識別情報および個々の点灯状態に結び付けるように制御データが設定されることで実現される。つまり、パターン制御では、１つのスイッチが操作されると、制御データに設定された複数の照明器具が制御データに設定された個々の点灯状態に一括して制御される。したがって、パターン制御では、１つのスイッチの操作で、複数の照明器具の一部を点灯させ、残りを消灯させることが可能である。照明器具が、光出力を調節する機能（調光機能）と発光色を調節する機能（調色機能）との少なくとも一方を有している場合には、グループ制御とパターン制御とのいずれでも、光出力と発光色との少なくとも一方を制御データに加えることが可能である。
【００３３】
なお、上述したパターン制御およびグループ制御の説明において、スイッチはセンサに読み替えることが可能である。この種の遠隔監視制御システムの技術は周知であり、遠隔監視制御システムの構成は要旨ではないから詳細な説明は省略する。
【００３４】
以上のように、制御データは、照明器具およびスイッチにそれぞれ設定された識別情報を結び付ける関係情報と、照明器具の状態およびスイッチの状態を表す状態情報とを含む。すなわち、制御データは、特定のスイッチの操作状態を、特定の照明器具の点灯状態に結び付けるように作成される。
【００３５】
上述したような遠隔監視制御システムをオフィスビルで採用する場合、照明器具の配置を定め、グループ制御あるいはパターン制御の対象とする照明器具を定め、さらに照明器具の点灯、消灯の状態を定める作業が必要である。また、必要に応じて照明器具の調光、調色の状態が定められる。このように、照明器具の配置を定めた後には、照明器具に対応付けるスイッチ、センサなどの配置を定め、スイッチ、センサなどと照明器具との識別情報の対応関係および、照明器具の状態を定める指示情報を、制御データとして親機に設定する（記憶させる）ことが必要である。つまり、スイッチ、センサなどを照明器具に結び付ける制御データの設計が必要である。ここで、照明器具の状態を定める指示情報は、スイッチを操作したりセンサが反応したりした時の照明の状態（点灯、消灯、調光、調色など）を指示する情報である。
【００３６】
上述したような作業は、設計者あるいは施工者が経験を加味して行っている。しかしながら、人の能力に依存した作業になるから、設計者あるいは施工者の意図通りの結果が得られるとは限らず、また施主にとって満足度の高い結果が得られるとは限らない。また、制御データはあらかじめ机上で設計した内容に従って現場で設定するため、制御データを親機に設定する際に現場での作業量が多くなる。その上、建築物の施工前には、制御データは物理的実体がない状態で設計されるため、建築物の施工後に、親機に設定した制御データにより照明設備を制御すると、プランの作成者あるいは施主の意図とは異なる結果になる場合がある。この場合、現場で行う修正では対応できず、制御データの作成作業に手戻りが生じる可能性がある。
【００３７】
以下に説明する実施形態は、物理的実体が無い状態でも、モデリング装置で設計する建築モデルデータを利用して親機に設定するための制御データを作成できるようにすることで、制御データを作成する際の作業量を低減させることを可能にしている。また、実施形態の構成では、作成した制御データをそのまま親機に設定することが可能であり、親機に対する現場での作業量が低減可能である。さらに、実施形態は、親機に制御データを設定する前に、作成した制御データの検証が可能であり、作成した制御データを親機に記憶させたときに、意図とは異なる動作になるリスクが低減されるように構成されている。
【００３８】
（実施形態）
本実施形態では、図１に示す情報作成システム１を例として説明する。図１に示す情報作成システム１は、情報作成装置１０とモデリング装置２０とシミュレータ３０とを備えている。情報作成装置１０は、制御データを作成するための装置であり、モデリング装置２０は、ＢＩＭデータを作成するための装置である。
【００３９】
本実施形態で例に用いる照明設備４０は、１台の親機４１、複数台の端末器４２、照明器具４４、スイッチ４５を含む。親機４１と端末器４２とは通信線４３により接続されている。複数台の端末器４２のそれぞれには、照明器具４４とスイッチ４５との一方が接続される。図１では、１台の端末器４２に１個の照明器具４４または１個のスイッチ４５が接続されているが、１台の端末器４２に複数個の照明器具４４または複数個のスイッチ４５が接続される構成でもよい。また、照明器具４４とスイッチ４５とを１個ずつ示しているが、照明器具４４とスイッチ４５とは、通常は複数個ずつ設けられる。また、スイッチ４５に代えてセンサを用いることも可能である。以下では、区別する必要がなければ、スイッチ４５とセンサとを区別せずに、スイッチ４５と記載する。
【００４０】
照明設備４０において、親機４１および端末器４２は、通信技術によって、スイッチ４５の状態に照明器具４４の状態を結び付けるために設けられている。すなわち、親機４１は、端末器４２を通してスイッチ４５の状態を監視し、スイッチ４５の状態を表す監視情報に応じて照明器具４４の状態を定める指示情報を作成し、別の端末器４２を通して照明器具４４に状態を指示する。したがって、照明器具４４の状態が、スイッチ４５の状態に応じて制御される。言い換えると、親機４１および端末器４２は、スイッチ４５の状態を照明器具４４の状態に反映させるための情報の伝達を担う。
【００４１】
ここに、照明設備４０のユーザは、親機４１および端末器４２の存在を意識する必要がなく、スイッチ４５と照明器具４４との対応関係だけを認識していればよい。言い換えると、ユーザにとって、照明設備４０を構成する機器は、照明器具４４とスイッチ４５である。つまり、ユーザは、照明設備４０を構成する第１の機器（照明器具４４）と第２の機器（スイッチ４５）の配置を認識し、スイッチ４５の状態に応じた照明器具４４の状態を認識していれば、照明設備４０を扱うことができる。
【００４２】
本実施形態において、シミュレータ３０は、制御データの検証を行うために用いる。シミュレータ３０は、少なくとも照明設備４０の動作に関するシミュレーションが可能である。シミュレータ３０は、ＢＩＭデータに含まれる建築物の構成の情報を使い、照明器具４４の点灯状態に応じて、照明器具が設置されている空間の照明状態を出力装置（モニタ装置）５２の画面上で目視で確認することが可能になるように構成される。
【００４３】
照明器具４４の点灯状態は、上述のように、点灯と消灯との状態のほかに、照明器具４４の調光が可能であれば調光レベルの情報を含み、照明器具４４の調色が可能であれば色の情報を含む。また、照明器具４４の照明状態は、照明器具４４が配置されている空間での照度分布の情報であり、照明器具４４の調色が可能であれば照明器具４４が配置されている仮想空間の色分布の情報を含む。
【００４４】
シミュレータ３０にＢＩＭデータと照明器具４４の制御データとが与えられると、シミュレータ３０は、ＢＩＭデータで表される空間を出力装置５２の画面に表示し、制御データに基づく照明器具４４の点灯状態および照明状態を出力装置５２の画面に実現する。つまり、ユーザは出力装置５２の画面を通して、該当する空間における照明器具４４の点灯状態および照明状態を目視で確認することが可能になる。ユーザは、入力装置５１の操作により、出力装置５２の画面に表示する空間を見る視点の変更、および照明器具４４の点灯状態の変更が可能である。
【００４５】
ユーザはシミュレータ３０によるシミュレーションの結果に満足しなければ、情報作成装置１０を操作して制御データを修正することが可能である。すなわち、情報作成装置１０は、入力装置５１から制御データの修正の指示を受け付け、制御データの内容を更新する。そして、シミュレータ３０により、再度シミュレーションを行う。
【００４６】
シミュレータ３０は、照明設備４０による人工光を用いる場合の光環境と、照明設備４０による人工光に外光を加えた場合の光環境との両方のシミュレーションが可能であることが望ましい。また、本実施形態では、シミュレータ３０は、照明設備４０が配置された空間について光環境のシミュレーションが可能であるように構成されているが、光環境に限らず、設備の種類に応じたシミュレーションが可能に構成されていることが望ましい。
【００４７】
図１に示す構成例では、作業の違いを表すため便宜的に、情報作成装置１０とモデリング装置２０とシミュレータ３０とを、それぞれ独立した装置（つまり、コンピュータ）で構成しているが、これらの装置を構成するコンピュータの台数は任意である。たとえば、１台のコンピュータが、情報作成装置１０とモデリング装置２０とシミュレータ３０とに兼用されていてもよい。また、モデリング装置２０が複数台のコンピュータで構成されていてもよい。モデリング装置２０の機能を実現するプログラムがサーバで実行可能であるのと同様に、情報作成装置１０およびシミュレータ３０の機能を実現するプログラムもサーバで実行可能である。この構成では、ユーザはサーバと通信する端末装置を備えていれば、モデリング装置２０だけではなく、情報作成装置１０およびシミュレータ３０の使用が可能になる。
【００４８】
情報作成装置１０は、コンピュータで以下に説明する機能を実現させるためのプログラムを実行することにより実現される。情報作成装置１０は、モデリング装置２０からＢＩＭデータを受け取り、実空間における照明設備４０の親機４１に制御データを引き渡すように構成されている。本実施形態の情報作成装置１０がモデリング装置２０から受け取るＢＩＭデータは、設備設計が終了した状態のデータであって、照明設備４０を構成する機器について、種類、配置、仕様などのデータを含む。
【００４９】
モデリング装置２０と情報作成装置１０との間は、通信によりＢＩＭデータなどのデータを双方向に受け渡し可能に構成されている。また、情報作成装置１０と親機４１との間も、通信により制御データを双方向に受け渡し可能に構成されている。なお、モデリング装置２０と情報作成装置１０との間において、通信によらずメモリカードのような記録媒体を用いてデータを受け渡す構成を採用してもよい。同様に、情報作成装置１０と親機４１との間において、通信によらず記録媒体を用いて制御データを受け渡す構成でもよい。
【００５０】
情報作成装置１０には、情報作成装置１０に指示を与える入力装置５１と、情報作成装置１０が作成した制御データなどの情報を表示する出力装置５２とが接続される。出力装置５２には作成中の制御データを表示することも可能である。入力装置５１は、一般的にはキーボードおよびマウスであるが、マウスに代えてタッチパッド、ペンタブレット、タッチパネルなどを選択することが可能である。また、出力装置５２は、液晶表示器を備えたモニタ装置を想定しているが、ＯＬＥＤ表示器（OLED：Organic Light Emitting Diode）、ＣＲＴ（Cathode Ray Tube）などを選択することが可能である。出力装置５２はモニタ装置に加えて、プリンタを備えていることが望ましい。情報作成装置１０がサーバで構成されている場合には、入力装置５１および出力装置５２は、端末装置を介して情報作成装置１０に接続されていることになる。
【００５１】
情報作成装置１０は、入力装置５１および出力装置５２を用いて対話的入力を行うことが可能である。すなわち、ユーザは、情報作成装置１０の出力装置５２（モニタ装置）に表示される情報に応じて、入力装置５１を用いて情報作成装置１０に指示を与えることが可能である。
【００５２】
なお、モデリング装置２０およびシミュレータ３０にも、情報作成装置１０と同様に、入力装置および出力装置が接続されていることが望ましい。また、情報作成装置１０に接続された入力装置５１および出力装置５２が、モデリング装置２０とシミュレータ３０との少なくとも一方の入力装置および出力装置として兼用されていてもよい。とくに、シミュレータ３０に接続する入力装置および出力装置は、情報作成装置１０に接続された入力装置５１および出力装置５２と兼用されていることが望ましい。情報作成装置１０とシミュレータ３０とが入力装置５１および出力装置５２を兼用すると、シミュレータ３０を用いて制御データの検証を行う際に、シミュレーションの結果を出力装置５２で確認し、入力装置５１で制御データを修正することが可能になる。つまり、制御データによる制御の状態を出力装置５２で確認し、必要に応じて入力装置５１で制御データの修正を行うことが可能になり、作業時間の短縮が可能になる。
【００５３】
情報作成装置１０は、モデリング装置２０との間でデータの受け渡しを可能にするように構成されたインターフェイス部（以下、「Ｉ／Ｆ部」という）１４を備える。図１に示す構成例では、モデリング装置２０だけがＩ／Ｆ部１４に直接接続され、シミュレータ３０は情報作成装置１０との間でモデリング装置２０を介してデータの受け渡しを行うように構成されている。ただし、モデリング装置２０とシミュレータ３０との両方がＩ／Ｆ部１４に接続されていてもよいのはもちろんのことである。また、情報作成装置１０とモデリング装置２０とシミュレータ３０とが、ＬＡＮ（Local Area Network）またはインターネットのような電気通信回線を通してデータの受け渡しを行う構成であってもよい。
【００５４】
情報作成装置１０は、入力装置５１および出力装置５２を接続するための接続部１５を備える。接続部１５は、入力装置５１が接続される入力部１５１と、出力装置５２が接続される出力部１５２とを備える。
【００５５】
情報作成装置１０は、処理部（第１処理部１１および第２処理部１２）と記憶部１３とを備える。さらに、情報作成装置１０は、ハードディスク装置のような記憶装置１６を備えることが望ましい。上述したように、本実施形態の情報作成装置１０は、設備設計が終了した後のＢＩＭデータをモデリング装置２０から受け取る。ＢＩＭデータは、建築物の設計者などがモデリング装置２０を用いて作成するデータであり、建築物に関する様々なデータを含んでいる。作業領域１３１は、主として処理対象のデータを格納する領域として記憶部１３のアドレス空間に設けた特定の領域である。
【００５６】
情報作成装置１０を構成するハードウェアは、たとえばコンピュータであり、情報作成装置１０を構成する要素をバスに接続している。記憶部１３、Ｉ／Ｆ部１４、および接続部１５を除く構成は、たとえばプログラムを実行するプロセッサを含むデバイスにより実現される。この種のデバイスは、たとえばＣＰＵ（Central Processing Unit）であって、メモリおよびインターフェイス用のデバイスなどと併せてコンピュータを構成する。
【００５７】
第１処理部１１は、Ｉ／Ｆ部１４を通してモデリング装置２０から受け取ったＢＩＭデータのうち制御データの作成に必要なデータのみを抽出して作業領域１３１に格納する機能を有する。本実施形態のように、情報作成装置１０とモデリング装置２０とが別のコンピュータで構成されている場合には、情報作成装置１０は、モデリング装置２０からＢＩＭデータをダウンロードして記憶装置１６に一旦格納することが望ましい。そして、第１処理部１１は、記憶装置１６から制御データの作成に必要なデータを抽出することが望ましい。また、情報作成装置１０がモデリング装置２０とコンピュータを共用している場合は、モデリング装置２０からＢＩＭデータを受け取る間に第１処理部１１が必要なデータを抽出して作業領域１３１に格納することが望ましい。
【００５８】
ここに、制御データの作成に必要なデータは、ＢＩＭデータに含まれるデータであり、建築物に配置された設備に関連するデータである。本実施形態では、情報作成装置１０が照明設備４０の制御データを作成する場合を想定しているから、制御データの作成には照明設備４０に関連するデータがあればよい。言い換えると、制御データを作成するには、ＢＩＭデータのうち、照明設備４０のデータと、照明空間を構築するデータのように、光環境を構成するためのデータが必要であり、建築物の意匠などを表すデータは基本的には不要である。
【００５９】
このことから、第１処理部１１は、照明設備４０に関連するデータだけをＢＩＭデータから抽出し、作業領域１３１に格納するように構成される。すなわち、第１処理部１１は、ＢＩＭデータのうち制御データの作成に必要なデータを選別する。言い換えると、第１処理部１１はＢＩＭデータに対するフィルタとして機能する。
【００６０】
第１処理部１１がＢＩＭデータから必要なデータを選別する際には、ＢＩＭデータに含まれる属性情報に着目する。属性情報は、建築物の構成要素である部材、設備などに関する名称、配置、仕様などの情報であり、第１処理部１１は、少なくとも名称と配置とを用いてＢＩＭデータから光環境を設計するためのデータを抽出する。
【００６１】
第１処理部１１は、ＢＩＭデータから照明設備４０に関連するデータを抽出するために、複数の抽出規則を用いる。抽出規則は、照明設備４０の制御データを定める空間（以下、「対象空間」という）をユーザが入力装置５１を通して指定すると、対象空間に配置されている部材および設備に関するデータを抽出するように定められる。抽出規則は、記憶部１３のルール領域１３２に格納される。対象空間の指定は、階層的に行うことが望ましい。たとえば、対象空間は、ビル、フロア、ルーム、ゾーンなどの階層化がなされている。ユーザは、これらのパラメータを適宜に指定するように入力装置５１を操作することによって、対象空間を指定する。
【００６２】
抽出規則は、たとえば、対象空間に露出する部材であることを条件とする規則、対象空間に照明器具４４が配置される照明設備４０であることを条件とする規則というように、属性情報を用いて定められる。ここに、対象空間に露出する部材、あるいは対象空間に配置される照明器具４４は、ＢＩＭデータに含まれる属性情報に基づいて判断する。すなわち、抽出すべき部材および設備の名称のリストが、記憶部１３に設けたリスト領域１３３に格納されており、第１処理部１１は、対象空間において、リスト領域１３３に格納された名称が一致する部材または設備を抽出する。
【００６３】
たとえば、対象空間が部屋であり、リスト領域１３３に「天井パネル」という名称が格納され、対象空間に露出する部材であることを条件とし、制御データの作成に必要なデータとして抽出するという規則がルール領域１３２に格納されていると仮定する。また、ルール領域１３２に、天井パネルが壁パネルとつながっている（壁パネルの上端の座標と天井パネルの端部の座標とが所定範囲内である）ことを条件として、天井パネルが対象空間に露出していると判断するという補助規則が格納されていると仮定する。
【００６４】
この場合、第１処理部１１は、ＢＩＭデータのうち、ユーザが指定した対象空間の範囲内に、リスト領域１３３に格納された「天井パネル」という名称を持つ部材が存在するか否かを判断する。ここでは、天井パネルが存在すると仮定しているから、天井パネルが候補として抽出される。ここで、補助規則によって、天井パネルが壁パネルとつながっているか否かが判断され、壁パネルとつながっていれば、この天井パネルは対象空間に露出していると判断される。つまり、第１処理部１１は、抽出規則により、この天井パネルは制御データの作成に必要なデータと認識し、この天井パネルに関するデータを作業領域１３１に格納する。
【００６５】
床下地材、天井下地材、壁下地材などは、通常は対象空間に露出しない部材である。しかしながら、これらの部材がリスト領域１３３に登録され、かつ補助規則によって対象空間に露出していると判断されるときには、抽出規則により制御データの作成に必要なデータと判断される。
【００６６】
例を挙げて説明したように、第１処理部１１は、ＢＩＭデータに含まれる建築物の構成要素が、いずれかの規則の条件あるいは複数の規則の条件を満足すると、該当する構成要素のデータを作業領域１３１に格納する。また、部材を抽出する例について説明したが、設備についても同様である。本実施形態は、照明設備４０を対象にしているから、第１処理部１１は、指定された対象空間に照明器具４４が露出していることを条件にして、該当する照明設備４０のデータを、制御データの作成に用いるデータとして抽出する。
【００６７】
制御データの作成に用いるデータが作業領域１３１に格納されると、情報作成装置１０に接続された出力装置（モニタ装置）５２に、制御データの作成に必要な情報が表示される。表示形式は、入力装置５１をユーザが操作することにより、複数種類から選択可能である。たとえば、対象空間に配置されたスイッチ４５と照明器具４４との対応関係を表形式で表す表示形式、対象空間の平面図にスイッチ４５と照明器具４４との配置が示された表示形式がある。図３のように、平面図ではなく天井を透視した斜視図を用いると、情報作成装置１０が構築した仮想空間での対象空間４６において照明器具４４を３次元で表現することができる。斜視図で表現されていると、対象空間４６での照明器具４４の配置がユーザにとってわかりやすくなる。また、対象空間の平面図にスイッチ４５と照明器具４４との配置を示すだけではなく、スイッチ４５の操作によって照明器具４４の点灯状態が示される表示形式が用意されることが望ましい。なお、照明器具４４の点灯状態は、色の変化などで表現される。
【００６８】
さらに、情報作成装置１０には、照明器具４４を配置した対象空間の３次元画像において、スイッチ４５の操作による照明器具４４の点灯状態を３次元画像に反映させる表示形式が用意されていてもよい。３次元画像を用いる表示形式において、シェーディング、レンダリングなどを行うことが可能である。この種の処理はシミュレータ３０で行えばよい。情報作成装置１０では、制御データを作成する際のリードタイムを短縮することが望ましいから、３次元画像を用いる場合でも照明器具４４の点灯状態を確認するために用いる程度でよい。
【００６９】
第１処理部１１がＢＩＭデータから抽出したデータを作業領域１３１に格納すると、第２処理部１２で制御データの作成が可能になる。第２処理部１２は、上述したような表示形式で出力装置（モニタ装置）５２に情報を表示し、入力装置５１からの入力データを受け付ける。入力データは、制御データの作成条件を定めるデータであり、照明器具４４とスイッチ４５との識別情報の関係も含む。制御データの作成条件は、どの照明器具４４とどのスイッチ４５とを結び付け、スイッチ４５のどのような操作状態に対して照明器具４４をどのような点灯状態とするかという条件である。したがって、第２処理部１２は、照明器具４４とスイッチ４５との識別情報を結び付ける関係情報の内容と、照明器具４４の点灯状態とスイッチ４５の操作状態とを表す状態情報の内容とを入力データから受け取る。
【００７０】
第２処理部１２は、第１処理部１１が抽出したデータと、入力装置５１から受け取った入力データとを用いて制御データを生成する。制御データは、記憶部１３の出力領域１３４に格納される。照明器具４４の点灯状態を確認できる表示形式を選択すれば、出力領域１３４に格納された制御データの内容を視覚的に確認することが可能である。また、熟練したユーザであれば、表形式あるいは平面図の形式でも制御データの適否を確認することが可能である。
【００７１】
出力領域１３４に格納された制御データは、情報作成装置１０が備える通信部１８を通して照明設備４０の親機４１に引き渡される。また、上述したように、制御データは、メモリカードのような記録媒体を用いて情報作成装置１０から親機４１に引き渡すことが可能である。
【００７２】
ところで、本実施形態では、情報作成装置１０を用いて、遠隔監視制御システムの親機４１に設定する制御データを作成する場合を例にしている。そのため、制御データは、スイッチ４５および照明器具４４の識別情報と、スイッチ４５と照明器具４４との識別情報の対応付けの情報とを含む。スイッチ４５と照明器具４４との識別情報の対応付けは、一対一対応のほか、パターン制御（シーン制御）、グループ制御などの一対多対応も含む。また、制御データは、時間帯に応じた照明器具４４の点灯状態の情報、センサが監視する事象に対する照明器具４４の点灯状態の情報などを含む場合もある。時間帯に応じた照明器具４４の点灯状態の情報が設定されていると、スイッチ４５を操作する時間帯に応じて照明器具４４の点灯状態が変化する。
【００７３】
制御データは、照明設備４０を構成する機器としての照明器具４４およびスイッチ４５それぞれの状態を表す状態情報と、照明器具４４およびスイッチ４５それぞれにユニークに設定される識別情報を関連付けた関係情報とを含む。すなわち、照明器具４４の点灯状態およびスイッチ４５の操作状態が、照明器具４４とスイッチ４５との関係情報により結び付けられる。状態情報と関係情報とが定められていれば、スイッチ４５が操作されたときに、このスイッチ４５に関係情報で結び付けられた照明器具４４が、状態情報に基づいてスイッチ４５の操作状態に応じた点灯状態になる。
【００７４】
上述した制御データの内容は一例であって、どのような制御データを作成するかはユーザの意図による。制御データは入力データが定める作成条件に従って情報作成装置１０で作成される。入力データは、上述したように、照明器具４４とスイッチ４５とを結び付ける関係情報の内容と、関係情報で結び付けた照明器具４４とスイッチ４５との状態情報の内容とを含む。
【００７５】
ところで、ＢＩＭデータは、仮想空間における照明器具４４およびスイッチ４５の位置の情報は含んでいるが、照明器具４４およびスイッチ４５の識別情報は含んでいない。そのため、情報作成装置１０が仮想空間において制御データを作成するには、少なくとも仮想空間において、照明器具４４およびスイッチ４５それぞれの位置に対応付けてユニークに識別情報が設定されていることが必要である。
【００７６】
仮想空間において照明器具４４およびスイッチ４５に識別情報を設定する際に、情報作成装置１０の第２処理部１２は、照明器具４４およびスイッチ４５を仮想空間での位置関係がわかるように出力装置（モニタ装置）５２の画面に表示する。このとき、第２処理部１２は、入力装置５１から入力データを受け付ける状態である。
【００７７】
情報作成装置１０は、ユーザが識別情報を設定する構成と、識別情報を自動的に設定する構成との少なくとも一方を採用している。前者の構成では、第２処理部１２が入力データを受け付ける状態において、入力データにより照明器具４４とスイッチ４５とが個々に指定され、指定された照明器具４４またはスイッチ４５に任意の識別情報が設定される。一方、後者の構成では、識別情報の初期値、識別情報の初期値が設定される照明器具４４およびスイッチ４５を指定する情報、識別情報を設定する順番の情報などが入力データとして第２処理部１２に与えられる。すなわち、後者の構成では、指定された照明器具４４またはスイッチ４５に識別情報の初期値が設定され、照明器具４４およびスイッチ４５にそれぞれ異なる識別情報が設定されるように、順番に従って識別情報が設定される。
【００７８】
以下に具体例を用いて説明する。たとえば、グループ制御を行う制御データを作成する場合、第２処理部１２は、入力データが定める作成条件に従って、グループ制御を行う照明器具４４とスイッチ４５とを選択する。すなわち、制御データのうちの関係情報を作成するために、スイッチ４５が選択され、このスイッチ４５に結び付ける複数個の照明器具４４が選択される。さらに、第２処理部１２は、入力データの作成条件に従って、スイッチ４５の操作状態と照明器具４４の点灯状態とを定める。すなわち、制御データのうち状態情報を作成するために、照明器具４４の点灯状態とスイッチ４５の操作状態とが定められる。
【００７９】
第２処理部１２は、スイッチ４５に結び付ける照明器具４４を選択する際に、たとえば、出力装置（モニタ装置）５２の画面に、天井を透視した対象空間の斜視図（図３参照）を表示した状態で、画面内の照明器具４４の図形を選択させる。この場合、スイッチ４５は、あらかじめ選択されており、選択する照明器具４４の図形にカーソルを合わせて、マウスのクリックに相当する操作を行うことにより入力データが第２処理部１２に与えられる。
【００８０】
また、出力装置（モニタ装置）５２に同じ画面を表示している状態で、第２処理部１２は、選択されている照明器具４４の点灯状態を定める入力データを受け取り、その点灯状態をスイッチ４５の操作状態に対応付ける。一般的には、選択されている照明器具４４の点灯という点灯状態は、スイッチ４５のオンという操作状態に対応付けられる。ただし、スイッチ４５のオンに照明器具４４の消灯という点灯状態が対応付けられてもよい。
【００８１】
照明器具４４が調光制御と調色制御との少なくとも一方に対応している場合、第２処理部１２は、照明器具４４の光出力と発光色との少なくとも一方を点灯状態とし、入力データで与えられるスイッチ４５の操作状態に対応付けてもよい。光出力と発光色との少なくとも一方を調節可能な照明器具４４が採用される場合、照明器具４４に結び付けられるスイッチ４５は、一般的には、光出力と発光色との少なくとも一方を調節する操作部を備えるように構成されている。
【００８２】
グループ制御の制御データを作成する場合のほか、パターン制御の制御データを作成する場合であっても同様である。パターン制御の制御データを作成するときには、スイッチ４５に結び付ける複数の照明器具４４が選択されると、照明器具４４ごとに点灯状態が定められる。すなわち、グループ制御の制御データを作成するときの作成条件は、たとえば、スイッチ４５のオンという操作状態に対して、選択された複数の照明器具４４それぞれに点灯状態を対応付けることができるように定められる。
【００８３】
情報作成装置１０は、上述した、グループ制御の制御データ、パターン制御の制御データだけではなく、個別制御の制御データを作成することが可能である。さらに、複数のスイッチ４５を特定の照明器具４４に対応付けることにより、特定の照明器具４４の点灯状態を複数箇所に設置されたスイッチ４５で変化させるように制御データを作成することも可能である。また、スイッチ４５は、時間帯に応じてオンとオフとを自動的に選択するタイムスイッチでもよく、スイッチ４５に代えてセンサを照明器具４４に結び付けることも可能である。
【００８４】
上述した例から分かるように、入力データは、照明器具４４とスイッチ４５とのそれぞれに仮想空間での識別情報を与える。また、入力データは、ユーザが作成しようとする制御データの内容に応じて、照明器具４４とスイッチ４５との結び付ける関係情報の内容、および照明器具４４の点灯状態とスイッチ４５の操作状態とを関係付ける状態情報の内容を定める。情報作成装置１０の第２処理部１２は、入力データが定める作成条件の下で状態情報および関係情報の内容を作成する。
【００８５】
本実施形態では、情報作成装置１０が仮想空間で作成したスイッチ４５と照明器具４４との識別情報の対応付けの情報を含む制御データを親機４１に設定する。そのため、実空間におけるスイッチ４５および照明器具４４の識別情報と、仮想空間でのスイッチ４５および照明器具４４の識別情報とを対応づける必要がある。さらに、実空間におけるスイッチ４５および照明器具４４の位置と、ＢＩＭデータに含まれているスイッチ４５および照明器具４４の位置情報とを関連付ける作業が必要になる。情報作成装置１０が作成した制御データを親機４１に設定するときには、実空間の照明器具４４およびスイッチ４５にユニークに設定された識別情報に、情報作成装置１０が仮想空間で設定した識別情報を結び付ける作業が必要である。仮想空間の識別情報と実空間の識別情報とは一対一に対応していなければならない。
【００８６】
たとえば、実空間におけるスイッチ４５および照明器具４４に識別情報を、仮想空間におけるスイッチ４５および照明器具４４の識別情報と結び付ける作業を、現場において識別情報の設定器を用いて人手で行う。これにより、ＢＩＭデータによる仮想空間の位置情報と、実空間における現場での位置情報とを関連付けることが可能である。
【００８７】
あるいは、実空間におけるスイッチ４５および照明器具４４に識別情報を与える規則を定めておく。この場合、情報作成装置１０が扱う仮想空間と、実空間における現場とで同じ規則を用いることによって、実空間におけるスイッチ４５および照明器具４４に一対一に対応する識別情報を自動的に付与することが可能になる。
【００８８】
識別情報を設定するための規則は、たとえば照明器具４４およびスイッチ４５の対象空間４６での相対位置、照明器具４４とスイッチ４５との接続の形態との少なくとも一方を条件に含む。照明器具４４とスイッチ４５との接続の形態は、実際には照明器具４４およびスイッチ４５それぞれに対応した端末器４２と親機４１との間の通信線の接続の形態である。
【００８９】
以上のように、情報作成装置１０は、ＢＩＭデータを用いることにより仮想空間において制御データの作成作業を行い、作成された制御データを親機４１に引き渡すように構成されている。したがって、制御データを親機４１に設定する際に、現場に設置された親機４１に制御データを登録する作業を行う必要がなく、現場での作業量を低減することが可能になる。つまり、実空間での作業であれば人の移動を伴うから作業者の負担が大きいが、上述した情報作成装置１０を採用することにより、仮想空間で作業を行うから労力の低減が可能になる。また、仮想空間を用いて制御データを作成するから、制御データに誤りがあれば仮想空間で修正を行うことができ、このことによっても実空間での作業に比べて労力の低減が可能になる。
【００９０】
ところで、情報作成装置１０で制御データを作成する際には、入力装置５１および出力装置５２を用いた対話的入力を行い、出力装置５２への表示形式を選択することにより、制御データを適用した場合の照明器具４４の点灯状態を確認可能にしている。ただし、情報作成装置１０のみでは、照明設備４０に制御データを適用した場合にユーザの意図通りの照明が行われているか否かを実感として確認することは難しい。
【００９１】
本実施形態では、制御データをシミュレータ３０に与えることによって、仮想空間で照明設備４０の動作を確認することを可能にしている。すなわち、シミュレータ３０は、ＢＩＭデータを用いてシミュレーションを行うから、制御データを適用した場合の実空間の光環境を３次元の仮想空間において詳細に再現することができる。その結果、情報作成装置１０で作成した制御データがユーザの意図に適合しているか否かを仮想空間において、実空間と同程度のレベルで検証することが可能になる。
【００９２】
情報作成装置１０を用いて制御データを作成する手順を図２を用いて簡単にまとめる。情報作成装置１０は、Ｉ／Ｆ部１４を通してモデリング装置２０からＢＩＭデータを受け取り（Ｓ１１）、第１処理部１１が設備（本実施形態では照明設備４０）に関連するデータを抽出する（Ｓ１２）。つまり、図４に模式的に示すように、第１処理部１１は、ＢＩＭデータから制御データの作成に必要な３次元データと属性データとを抽出する。
【００９３】
次に、ＢＩＭデータから抽出したデータに含まれる照明器具４４の情報を基に、第２処理部１２では、入力装置５１および出力装置５２を用いて対話的に照明設計を行う（Ｓ１３）。照明設計は、対象空間において照明器具４４の点灯状態を定めることであり、入力装置５１を通してユーザが入力した入力データを受け取ることを意味する。ここでは、入力データは、グループ制御、パターン制御、調光、調色などを行うためのデータであり、入力データによって、個々の照明器具４４について制御データの作成条件が指示される。照明設計では、複数種類の点灯状態について制御データが作成される。
【００９４】
制御データは、最初からユーザが作成してもよいが、対象空間の条件に応じた制御データの基本プランを情報作成装置１０がユーザに提示し、ユーザが基本プランを修正することによって、制御データを作成してもよい。図４に示す例では、「プラットフォーム」と記載している部分が基本プランをユーザに提示するデータを意味している。第２処理部１２は、入力装置５１から入力データとして受け取った作成条件に基づいてプラットフォームから基本プランを抽出する。第２処理部１２は、入力装置５１から制御データに相当する入力データを受け取った場合は、この入力データに対する「データ加工」を行う。第２処理部１２は、基本プランを抽出した場合は、基本プランに対する「データ加工」を行う。
【００９５】
情報作成装置１０は、制御データを出力する（Ｓ１４）。制御データは、グループ制御、パターン制御、調光、調色などに関するデータであり、メモリカードのような記録媒体に出力される。また、情報作成装置１０は、情報作成装置１０に親機４１が接続されていれば、制御データを親機４１に引き渡してもよい。この場合、情報作成装置１０が用いるプロトコルと、親機４１が用いるプロトコルとが異なっていれば、情報作成装置１０と親機４１との間でプロトコル変換器によるプロトコルの変換を行ってもよい。情報作成装置１０が作成した制御データを、モデリング装置２０がＢＩＭデータと統合してもよい。ＢＩＭデータに制御データを統合した場合、シミュレータ３０において制御データを含むシミュレーションが可能になる。
【００９６】
ところで、情報作成装置１０は照明設備４０に制御データを与えるだけではなく、照明設備４０の動作をモニタ装置の画面に表示させるための制御監視画面データ（図４の管理データに相当）を出力してもよい。制御監視画面データは、ＢＩＭデータと制御データとに基づいて作成される。制御監視画面データは、たとえば、照明器具４４およびスイッチ４５の配置を表示器の画面上に表示し、画面に表示されたスイッチ４５が操作されると、照明器具４４の点灯状態を制御するとともに、表示器の画面に反映させるように構成される。
【００９７】
制御監視画面データは、たとえば、ウェブブラウザの上で動作するようにＨＴＭＬ（Hyper Text Markup Language）を用いて作成される。制御監視画面データは、画面に文字および図形を表示するためのコンテンツと、表示された画面からの操作を受け付けるためのボタンなどのデータを含む。したがって、照明設備４０の動作を制御、監視するためにウェブブラウザが動作する装置が用いられ、当該装置に制御監視画面データが渡されることにより、照明設備４０の動作を当該装置の画面で制御、監視することが可能になる。なお、この種の装置は、スマートフォン、タブレット端末などから選択してもよい。スマートフォン、タブレット端末などを照明設備４０の制御、監視に用いる場合、専用のアプリケーションプログラム（いわゆる、アプリ）を実行する形にしても良い。この場合、制御監視画面データは、専用のアプリケーションプログラムが画面表示を行う時に使用するデータとなり、スマートフォン、タブレット端末は、遠隔監視制御システムの親機と通信を行うことになる。
【００９８】
以上説明したように、情報作成装置１０は、ＢＩＭデータのうち、制御データの作成に必要なデータのみを抽出し、抽出したデータを用いて制御データを作成するから、ＢＩＭデータに比べてデータ量が少なく、制御データを作成する際の処理負荷が軽減される。そのため、情報作成装置１０に要求されるハードウェア資源の性能の水準を抑制することが可能である。すなわち、情報作成装置１０は、処理能力が高い特別なＭＰＵ（Micro Processing Unit）を用いる必要がなく、また、膨大な容量のメモリを用いる必要がない。このことから、情報作成装置１０は、オフィスあるいは家庭で使用する程度のパーソナルコンピュータで実現することが可能である。
【００９９】
上述した構成から明らかなように、コンピュータを情報作成装置１０として機能させるためのプログラムは、ＢＩＭデータを受け取るステップと、設備の動作を決めるための制御データの入力を受け取るステップとをコンピュータに実行させるように構成される。なお、上述した構成例では、ＢＩＭデータから制御データの作成に必要なデータを第１処理部１１が抽出しているが、情報作成装置１０の処理能力が十分に高い場合には、ＢＩＭデータを加工せずに、制御データの作成に用いてもよい。
【０１００】
本実施形態において、上述したＢＩＭデータを受け取るステップと、設備の動作を決めるための制御データの入力を受け取るステップとをコンピュータに実行させるプログラムを記録媒体に記録してもよい。この場合、情報作成装置１０（コンピュータ）は、記録媒体に記録されたプログラムを読み出して実行することで、その機能を実現する。
【０１０１】
（変形例）
照明設備４０の親機４１の機能を、情報作成装置１０が兼用する構成を採用することも可能である。とくに、建築物に配置された複数種類の設備を制御するコントローラを設ける場合、コントローラが情報作成装置１０と兼用されていてもよい。
【０１０２】
上述した情報作成装置１０は、ＢＩＭデータを作成するモデリング装置２０とは独立しているが、１台のコンピュータが、ＢＩＭデータを作成するモデリング装置２０と、情報作成装置１０とに兼用されてもよい。この場合、ＢＩＭデータを作成するためのアプリケーションプログラムを実行するコンピュータにおいて、コンピュータを情報作成装置１０として機能させるためのプログラムを実行するから、ＢＩＭデータに制御データを統合してもよい。つまり、一般的なＢＩＭデータに、制御データを統合したＢＩＭデータを作成することが可能である。ＢＩＭデータに制御データを統合することは、上述した構成の情報作成装置１０でも可能である。なお、制御データをＢＩＭデータに統合した場合でも、建築物の設備を制御するコントローラ（親機４１を含む）へは、制御データをＢＩＭデータから分離して引き渡す。
【０１０３】
また、上述のように、情報作成装置１０、モデリング装置２０、シミュレータ３０は、サーバに構築されていてもよく、サーバは、１台のコンピュータを用いる構成に限らず、複数台のコンピュータを用いた構成であってもよい。また、サーバは、クラウドコンピューティングシステムで構築されていてもよい。
【０１０４】
情報作成システム１は、情報作成装置１０の構成要素が単一のコンピュータではなく、複数のコンピュータに分配された構成であってもよい。また、情報作成システム１は、図１に示す情報作成装置１０の一部または全部の構成がモデリング装置２０あるいはシミュレータ３０に設けられていてもよい。あるいは、情報作成システム１は、モデリング装置２０を含まず、別途に作成されたＢＩＭデータを受け取る構成であってもよい。
【０１０５】
以上説明したように、本発明に係る第１の態様の情報作成方法は、建築モデルデータ（ＢＩＭデータ）を受け取るステップと、建築モデルデータに関連付けて、設備（たとえば照明設備４０）を制御するための制御データの作成条件を定める入力データを受け取るステップとを有する。ここで、建築モデルデータは、建築物の構成の情報と建築物の設備の情報とを含む。
【０１０６】
本実施形態では、建築モデルデータと入力データとから制御データが作成される。つまり、本実施形態では、情報作成方法は、建築モデルデータと入力データとから制御データを作成する作成ステップを有している。よって、この方法によれば、建築モデルデータを基にして設備の制御データを作成することが可能になる。
【０１０７】
制御データは、設備（たとえば照明設備４０）を構成する複数の機器（たとえば照明器具４４とスイッチ４５）にそれぞれユニークに設定された識別情報を結び付ける関係情報と、複数の機器それぞれの状態を表す状態情報とを含んでいることが望ましい。また、入力データが定める作成条件は、関係情報および状態情報の内容を作成する条件であることが望ましい。
【０１０８】
本発明に係る第２の態様の情報作成方法は、第１の態様において、作成ステップとして以下のステップを有することが望ましい。この情報作成方法は、建築モデルデータで構築された仮想空間において、複数の機器に識別情報を設定するステップと、制御データの作成条件に従って関係情報および状態情報の内容を作成するステップとを有する。この方法によれば、建築モデルデータで構築された仮想空間で制御データを作成することが可能になる。
【０１０９】
本発明に係る第３の態様の情報作成方法は、第２の態様において、制御データの作成条件は、関係情報の内容と、状態情報の内容とを定めることが望ましい。関係情報は、建築モデルデータで構築される仮想空間で複数の機器に設定された識別情報を結び付ける。また、状態情報は、複数の機器それぞれの状態を表す。この方法によれば、複数の機器が識別情報で結び付けられ、かつ複数の機器それぞれの状態が制御データとして定められる。したがって、複数の機器から選択された特定の機器（たとえば、スイッチ４５）の状態を、複数の機器から選択された他の特定の機器（たとえば、照明器具４４）の状態に結び付けるように制御データが作成される。
【０１１０】
また、本発明に係る第４の態様の情報作成方法は、第１〜第３のいずれかの態様において、制御データによる設備（照明設備４０）の動作のシミュレーションを、建築モデルデータ（ＢＩＭデータ）で構築する仮想空間において行わせるステップを、さらに有することが望ましい。この情報作成方法は、作成された制御データを用いて仮想空間においてシミュレーションを行わせるから、作成された制御データの検証が可能になる。
【０１１１】
本発明に係る第５の態様の情報作成方法は、第１〜第４のいずれかの態様において、実空間における設備（照明設備４０）を制御する制御装置（親機４１）に対して制御データを設定するステップを、さらに有することが望ましい。この情報作成方法は、作成された制御データを用いて設備（照明設備４０）の制御が可能になる。
【０１１２】
本発明に係る第６の態様の情報作成方法は、第１〜第４のいずれかの態様において、実空間における設備（照明設備４０）に対して前記制御データに基づく制御信号を出力するステップを、さらに有することが望ましい。この情報作成方法は、作成された制御データを用いて設備（照明設備４０）の制御が可能になる。
【０１１３】
本発明に係る第７の態様の情報作成方法は、第１〜第６のいずれかの態様において、制御データの作成条件に対する修正の指示を受け付けるステップと、修正の指示を受けると制御データを更新するステップとを、さらに有することが望ましい。この情報作成方法は、制御データの修正を可能にする。
【０１１４】
本発明に係る第８の態様の情報作成方法は、第１〜第７のいずれかの態様において、設備（照明設備４０）の情報と入力データとを用いて、設備の動作を制御、監視する画面を表示するための制御監視画面データを生成するステップを、さらに有することが望ましい。
【０１１５】
この情報作成方法は、設備（照明設備４０）に対する制御データだけではなく、設備を遠隔制御、監視する画面を表示するための制御監視画面データも作成することができ、設備を導入する際の省力化につながる。
【０１１６】
本発明に係る第９の態様の記録媒体は、コンピュータに実行させるためのプログラムを記録している。このプログラムは、コンピュータに、建築物の構成の情報と建築物の設備（照明設備４０）の情報とを含む建築モデルデータ（ＢＩＭデータ）を受け取るステップを実行させる。さらに、このプログラムは、コンピュータに、建築モデルデータに関連付けて、設備の制御データの作成条件を定める入力データを受け取るステップを実行させる。情報作成装置１０は、コンピュータにこのプログラムを実行させることにより実現される。
【０１１７】
記録媒体に記録されたプログラムによれば、建築モデルデータを基にして設備の制御データを作成することが可能になる。
【０１１８】
本発明に係る第１０の態様の情報作成装置１０は、インターフェイス部１４と入力部１５１と処理部（第１処理部１１および第２処理部１２）と出力部１５２とを備える。インターフェイス部１４は、建築物の構成の情報と建築物の設備（照明設備４０）の情報とを含む建築モデルデータ（ＢＩＭデータ）を受け取る。入力部１５１は、建築モデルデータに関連付けて、設備を制御するための制御データの作成条件を定める入力データを受け取る。処理部は、建築モデルデータおよび入力データを用いて制御データを作成する。出力部１５２は、処理部が作成した制御データを出力する。
【０１１９】
この構成によれば、建築モデルデータを基にして設備の制御データを作成することが可能であり、さらに、作成された制御データを用いて設備の制御が可能になる。
【０１２０】
本発明に係る第１１の態様の情報作成装置１０では、第１０の態様において、処理部（第１処理部１１および第２処理部１２）は、以下の機能を有することが望ましい。すなわち、処理部は、建築モデルデータで構築された仮想空間において、複数の機器（たとえば、照明器具４４とスイッチ４５）に識別情報を設定し、かつ制御データの作成条件に従って関係情報および状態情報の内容を作成することが望ましい。この構成によれば、建築モデルデータで構築された仮想空間において制御データの作成が可能である。
【０１２１】
本発明に係る第１２の態様の情報作成システム１は、インターフェイス部１４と入力部１５１と処理部（第１処理部１１および第２処理部１２）と出力部１５２とを備える。インターフェイス部１４は、建築物の構成の情報と建築物の設備（照明設備４０）の情報とを含む建築モデルデータ（ＢＩＭデータ）を受け取る。入力部１５１は、建築モデルデータに関連付けて、設備を制御するための制御データの作成条件を定める入力データを受け取る。処理部は、建築モデルデータおよび入力データを用いて制御データを作成する。出力部１５２は、処理部が作成した制御データを出力する。
【０１２２】
この構成によれば、建築モデルデータを基にして設備の制御データを作成することが可能であり、さらに、作成された制御データを用いて設備の制御が可能になる。
【０１２３】
本発明に係る第１３の態様の情報作成システム１では、第１２の態様において、処理部（第１処理部１１および第２処理部１２）は、以下の機能を有することが望ましい。すなわち、処理部は、建築モデルデータで構築された仮想空間において、複数の機器（たとえば、照明器具４４とスイッチ４５）に識別情報を設定し、かつ制御データの作成条件に従って関係情報および状態情報の内容を作成することが望ましい。この構成によれば、建築モデルデータで構築された仮想空間において制御データの作成が可能である。
【０１２４】
また、本発明に係る第１４の態様の情報作成システム１は、上述した情報作成装置１０と、制御データによる設備の動作のシミュレーションを、コンピュータが構築する仮想空間において行うシミュレータ３０とを備える。この構成によれば、情報作成装置１０が作成した制御データの検証が可能になる。
【０１２５】
また、本発明に係る第１５の態様のプログラムは、コンピュータに、建築モデルデータ（ＢＩＭデータ）を受け取るステップと、建築モデルデータに関連付けて、設備の制御データの作成条件を定める入力データを受け取るステップとを実行させる。ここで、建築モデルデータは、建築物の構成の情報と建築物の設備（たとえば、照明設備４０）の情報とを含む。このプログラムによれば、建築モデルデータを基にして設備の制御データを作成することが可能になる。
【０１２６】
なお、上述した実施形態は本発明の一例である。このため、本発明は、上述の実施形態に限定されることはなく、この実施形態以外であっても、本発明に係る技術的思想を逸脱しない範囲であれば、設計などに応じて種々の変更が可能であることはもちろんのことである。
【符号の説明】
【０１２７】
１    情報作成システム
１０  情報作成装置
１１  第１処理部（処理部）
１２  第２処理部（処理部）
１４  インターフェイス部
２０  モデリング装置
３０  シミュレータ
４０  照明設備（設備）
４４  照明器具
４５  スイッチ
１５１  入力部
１５２  出力部
【図１】
2017017956.tif 000003
【図２】
2017017956.tif 000004
【図３】
2017017956.tif 000005
【図４】
2017017956.tif 000006
【国際調査報告】
2017017956.tif 000007
2017017956.tif 000008